(57)【要約】【課題】入賞口の上面の開口部を開閉する開閉部材の上を転動後に飛び出した遊技球を規制して、遊技球を所定の遊技部品に向かう方向にガイドすることで、遊技球の動きをコントロールできるパチンコ遊技機を提供する。【解決手段】パチンコ遊技機１において、遊技領域６Ａに、遊技板６Ｆから前方に突出すると共に上面が開口する開口部１１６を有する第１大入賞口１１０と、開口部１１６を開閉る開閉部材１５０とを備えた第１大入賞口装置１００を有している。これは、開閉部材１５０が左方向に傾斜して配置され、その上を遊技球Ｐが傾斜の上側から下側へ転動する。そして、開閉部材１５０の傾斜の下側における端部１５２から離間した位置に、開閉部材１５０の上を下側に向かって転動した後にその端部１５２から飛び出す遊技球Ｐが当たることで、遊技球Ｐを第２大入賞口２０１に向かう方向にガイドする壁状部材３００を備えている。【選択図】図５
2015033542.tif 000002
【特許請求の範囲】
【請求項１】
遊技盤に設けられた遊技領域に入賞装置が配置されたパチンコ遊技機であって、
前記入賞装置は、
前記遊技盤を構成する遊技板から前方に突出すると共に、上面が開口する開口部を有する入賞口と、
前記開口部を閉鎖する閉鎖位置と前記閉鎖位置から前記開口部を開放する開放位置との間を移動可能な開閉部材と、
を備え、
前記開閉部材が左右何れか一方に傾斜して配置され、前記開閉部材の上を遊技球が傾斜の上側から下側へ転動するようになっており、
前記遊技領域に設けられ、前記開閉部材の傾斜の下側における端部から離間した位置に、ガイド部材を備えており、
該ガイド部材は、前記開口部を前記開閉部材で閉じた状態で、該開閉部材の上を下側に向かって転動した後に該開閉部材の前記端部から飛び出す遊技球が当たることで、当該遊技球を所定の遊技部品に向かう方向にガイドしていることを特徴とするパチンコ遊技機。
【発明の詳細な説明】
【技術分野】
【０００１】
本発明は、パチンコ遊技機に関し、特に、遊技盤を構成する遊技板から前方に突出すると共に上面が開口する開口部を有する入賞口を開閉部材で開閉する入賞装置を備えるパチンコ遊技機に関するものである。
【背景技術】
【０００２】
従来、パチンコ遊技機の中には、遊技盤を構成する遊技板から前方に突出すると共に上面が開口する開口部を有する入賞口を開閉部材で開閉する入賞装置として、スライド式の大入賞口装置を備えたものがある（例えば、特許文献１参照。）。
【先行技術文献】
【特許文献】
【０００３】
【特許文献１】特開２０１２−２４９７０２号公報
【発明の概要】
【発明が解決しようとする課題】
【０００４】
ここで、前記したような従来のパチンコ遊技機では、スライド式の大入賞口装置等における入賞口の開口部を開閉部材で閉じたときには、当該開閉部材の上を遊技球が一方向に転動するようになっている。しかしながら、開閉部材の上を一方向に転動した遊技球は、その当該開閉部材に到達したときの転動速度が遊技球によって異なり、また、そのまま全く規制のない状態で開閉部材の上の下側における端部から飛び出してさらに転動するようになっているため、開閉部材の下側における端部からの軌跡がバラバラとなり、遊技球を所定の位置に誘導することができない虞があった。
【０００５】
本発明は、このような事情に鑑みてなされたものであり、入賞口の上面の開口部を開閉する開閉部材で当該開口部を閉じたときに、当該開閉部材の上を転動した後に開閉部材から飛び出した遊技球を規制して、遊技球を所定の遊技部品に向かう方向にガイドすることで、遊技球の動きをコントロールすることができるパチンコ遊技機を提供することを目的とする。
【課題を解決するための手段】
【０００６】
かかる課題を解決するために、本発明の請求項１に記載の発明は、遊技盤に設けられた遊技領域に入賞装置が配置されたパチンコ遊技機であって、前記入賞装置は、前記遊技盤を構成する遊技板から前方に突出すると共に、上面が開口する開口部を有する入賞口と、前記開口部を閉鎖する閉鎖位置と前記閉鎖位置から前記開口部を開放する開放位置との間を移動可能な開閉部材と、を備え、前記開閉部材が左右何れか一方に傾斜して配置され、前記開閉部材の上を遊技球が傾斜の上側から下側へ転動するようになっており、前記遊技領域に設けられ、前記開閉部材の傾斜の下側における端部から離間した位置に、ガイド部材を備えており、該ガイド部材は、前記開口部を前記開閉部材で閉じた状態で、該開閉部材の上を下側に向かって転動した後に該開閉部材の前記端部から飛び出す遊技球が当たることで、当該遊技球を所定の遊技部品に向かう方向にガイドしているパチンコ遊技機としたことを特徴とする。
【０００７】
請求項１に係る発明によれば、入賞口の上面の開口部を開閉する開閉部材で当該開口部を閉じたときに、当該開閉部材の上を転動した後に開閉部材の傾斜の下側における端部から飛び出した遊技球をガイド部材により規制して、遊技球を所定の遊技部品に向かう方向にガイドすることで、遊技球の動きをコントロールすることができる。
【図面の簡単な説明】
【０００８】
【図１】本発明の実施の形態におけるパチンコ遊技機の正面図である。
【図２】同パチンコ遊技機の遊技盤の正面図である。
【図３】同パチンコ遊技機の大入賞口装置において第１大入賞口装置が閉状態の斜視図である。
【図４】同パチンコ遊技機の大入賞口装置において第１大入賞口装置が開状態の斜視図である。
【図５】同パチンコ遊技機の大入賞口装置の正面図である。
【図６】図５のＡ−Ａ断面図である。
【図７】図５のＢ−Ｂ断面図である。
【図８】同パチンコ遊技機の大入賞口装置の後側部材の左前側からの斜視図である。
【図９】同パチンコ遊技機の大入賞口装置の後側部材の正面図である。
【図１０】同パチンコ遊技機の大入賞口装置の前側部材の左後側からの斜視図である。
【図１１】同パチンコ遊技機の大入賞口装置の前側部材の裏面図である。
【発明を実施するための形態】
【０００９】
以下、本発明の実施の形態におけるパチンコ遊技機について図面を参照しながら説明する。なお、以下の説明では、パチンコ遊技機を遊技者から見て、手前側をパチンコ遊技機の前側（表面側）とし、奥側をパチンコ遊技機の後側（裏面側）として、前後方向を規定する。また、パチンコ遊技機を遊技者から見て、左手側をパチンコ遊技機の左側とし、右手側をパチンコ遊技機の右側として、左右方向を規定する。
【００１０】
まず、本実施の形態におけるパチンコ遊技機全体の概略構成について、図１及び図２を用いて説明する。図１は、本実施の形態におけるパチンコ遊技機の正面図であり、図２は、同パチンコ遊技機の遊技盤の正面図である。
【００１１】
本実施の形態におけるパチンコ遊技機１は、図１に示すように、外枠２、前枠３、窓枠４及び当該窓枠４に覆われた遊技盤６（図２）などを備えている。また、図示は省略するが、パチンコ遊技機１の裏面には、液晶ディスプレイ型の表示装置２０（図２）等の表示制御や可動演出装置（図示省略）及びＬＥＤなどの発光装置（図示省略）等による遊技演出の制御を行う表示演出サブ制御基板等のサブ制御基板、入賞時におけるパチンコ遊技機１の動作等を含むパチンコ遊技機１の主要な動作を制御する主制御基板、遊技球の払い出し動作を制御する払出基板、各基板等に電源を供給する電源基板等の各種基板が取り付けられている。
【００１２】
具体的に、外枠２は、図１に示すように、パチンコホールの台島に設置されており、前後面が開口するように四角形状に形成されている。前枠３は、外枠２の前端面に左側辺部の垂直な軸を中心に回動可能に装着されている。また、図１に示すように、この前枠３には、窓枠４と、下皿ユニット５と、遊技盤６と、が取り付けられている。
【００１３】
窓枠４は前枠３の前面に装着されている。この窓枠４は前枠３と一体となって、前記した軸を中心に回動可能となっている。窓枠４の中央には、図１に示すように、正面視で略円形状の窓枠開口部７が形成されている。この窓枠開口部７は、ガラス又はアクリル等の透明板８により被覆されている。また、窓枠開口部７の下方には、上皿ユニット９が配設されており、ここに、賞球や貸球を受けて貯留し、当該遊技球を発射装置（図示省略）に導く上皿１０が配置されている。また、窓枠開口部７の左右上方には、高音用のスピーカ１１がそれぞれ配設されている。また、窓枠４には複数の装飾ＬＥＤが配設されている。
【００１４】
下皿ユニット５は、図１に示すように、前枠３の下部であって窓枠４の下方に取り付けられている。この下皿ユニット５の中央部の左側には、上皿１０から溢れた遊技球が貯留される下皿１２が配設されている。また、下皿ユニット５の中央部の右側には、低音用のスピーカ１３が配設されている。また、下皿ユニット５の右部であって下皿１２の右方には、上皿１０に貯留された遊技球を後述する遊技領域６Ａに発射するための発射装置を遊技者が操作する操作ハンドル１４が配設されている。
【００１５】
遊技盤６は、図２に示すように、遊技球が転動する領域である遊技領域６Ａが形成される部材である。遊技盤６は、窓枠４の後方であって、正面視で前枠３の下部を除く略全面に渡って配置されている。なお、遊技盤６の遊技領域６Ａは、窓枠４の窓枠開口部７の後方に配置され、前方から透明板８を介して視認可能に構成されている。
【００１６】
この遊技盤６には、図２に示すように、板状の遊技板６Ｆの表面側に、外側ガイドレール６Ｂと内側ガイドレール６Ｃが固定されており、この外側ガイドレール６Ｂと内側ガイドレール６Ｃの間に、発射装置から発射された遊技球の発射通路６Ｄが区画形成されている。また、外側ガイドレール６Ｂ及び内側ガイドレール６Ｃで囲まれた内側領域に、遊技球が転動する遊技領域６Ａが区画形成されている。この遊技領域６Ａには、複数の遊技釘（図示省略）が打ち込まれており、発射通路６Ｄを通して遊技領域６Ａ内に放出された遊技球は、遊技釘に当りながら転動して遊技領域６Ａ内を流下し、最終的に後述する何れかの入賞口又は遊技領域６Ａの最下方に位置するアウト口６Ｅに入る転動遊技を行う。
【００１７】
遊技盤６における遊技領域６Ａのほぼ中央部には、図２に示すように、液晶ディスプレイ型の表示装置２０が設けられており、この表示装置２０を囲むように装飾枠２０Ｂが配設されている。また、表示装置２０は、大当り遊技状態を発生させるか否かの判定結果に基づき変動演出表示を行う広い面積の表示画面２０Ａを有している。
【００１８】
また、図２に示すように、遊技領域６Ａ内において、装飾枠２０Ｂの下方には第１始動入賞口１５が配置されている。この第１始動入賞口１５は、遊技球が入賞することによって、遊技者に有利な大当り遊技状態を発生させるか否かの判定を行う起点となるものであり、上方に開口するポケット状に形成されている。
【００１９】
また、図２に示すように、第１始動入賞口１５の下方には、第２始動入賞口１６が配置されている。この第２始動入賞口１６は、開閉可能な一対の可動片１６Ａを備えており、可動片１６Ａが閉じているときには第２始動入賞口１６には遊技球が入賞しないようになっており、所定条件に基づいて可動片１６Ａが開放されると第２始動入賞口１６に遊技球が入賞可能となるものである。なお、第２始動入賞口１６は、可動片１６Ａが閉じているときには遊技球が入賞可能だが入賞し難くなっており、可動片１６Ａが開放されると遊技球が入賞し易くなるようになっていても良い。
【００２０】
また、図２に示すように、遊技領域６Ａ内の所定位置には、遊技球が入賞可能な一般入賞口１９が上方に開口するポケット状に形成されている（本実施の形態では、遊技領域６Ａの左下部に複数の一般入賞口１９が形成されている）。
【００２１】
また、図２に示すように、第１始動入賞口１５及び第２始動入賞口１６の右方には、大入賞口装置１７が配置されている。この大入賞口装置１７には、入賞口としての第１大入賞口１１０を備えた入賞装置としての第１大入賞口装置１００と、所定の遊技部品としての第２大入賞口２０１を備えた第２大入賞口装置２００が配置されている。
【００２２】
以下、本実施の形態の大入賞口装置１７について、図３〜図１１を用いて詳細に説明する。図３は、本実施の形態におけるパチンコ遊技機１の大入賞口装置１７において第１大入賞口装置１００が閉状態の斜視図である。図４は、本実施の形態におけるパチンコ遊技機１の大入賞口装置１７において第１大入賞口装置１００が開状態の斜視図である。図５〜図７は、本実施の形態におけるパチンコ遊技機１の大入賞口装置１７の正面図，Ａ−Ａ断面図，Ｂ−Ｂ断面図である。図８，図９は、本実施の形態におけるパチンコ遊技機１の大入賞口装置１７の後側部材１７Ａの左前側からの斜視図，正面図である。図１０，図１１は、本実施の形態におけるパチンコ遊技機１の大入賞口装置１７の前側部材１７Ｂの左後側からの斜視図，裏面図である。
【００２３】
まず、第１大入賞口装置１００について説明する。本実施の形態の第１大入賞口装置１００は、大入賞口装置１７の右側に配置されており、図３に示すような、開口部１１６が閉じて遊技球Ｐ（図５に図示）が入賞不可能な閉状態と、図４に示すような、開口部１１６が開放されて遊技球Ｐが入賞可能な開状態とに変化する第１大入賞口１１０と、図５及び図６に示すような、第１大入賞口１１０の開口部１１６の開閉を行う開閉部材１５０とを備えている。また、第１大入賞口装置１００は、図６に示すように、前記した開閉部材１５０を開閉させる駆動源としてのソレノイド１０２、ソレノイド１０２と開閉部材１５０を連結してソレノイド１０２の駆動により開閉部材１５０をスライド移動させる連結部材１０３、第１大入賞口１１０に入賞した遊技球Ｐをカウントするセンサ（図示省略）等を備えている。
【００２４】
このうち、第１大入賞口１１０は、図４〜図６に示すように、遊技球Ｐが入賞する箇所であり、少なくとも上部が図２に示す遊技盤６における遊技板６Ｆの表面より前方に突出した形状となっている。ここでは、第１大入賞口１１０は、その全体が遊技盤６における遊技板６Ｆの表面より前方に突出した箱形状となっており、底部１１１と前壁１１２、後壁１１３、右壁１１４、左壁１１５を有する略直方体形状に形成されている。
【００２５】
また、図５に示すように、底部１１１の所定位置（ここでは、底部１１１が左方向に傾斜しており、その最下方となる左端）には、第１大入賞口１１０に入賞した遊技球Ｐを遊技盤６の後方に導く入賞通路１１７が形成されている。この入賞通路１１７を遊技球Ｐが通過することで、その途中に配置されたセンサ（図示省略）で遊技球Ｐの入賞がカウントされるようになっている。また、第１大入賞口１１０の上部には、第１大入賞口１１０の左右方全体が上方に開口した開口部１１６が設けられており、この開口部１１６を開閉部材１５０で開閉可能になっている。
【００２６】
この開閉部材１５０は、図３〜図６に示すように、略長板状の部材で構成されており、第１大入賞口１１０の開口部１１６付近の遊技板６Ｆ側に左右方向に長尺に形成されたスリット６Ｇに遊技盤６の後方側からスライド移動可能に挿入されている。また、開閉部材１５０は、図６に示すように、第１大入賞口１１０の裏側で連結部材１０３の一端部１０３Ａと係合しており、この連結部材１０３が他端部１０３Ｂでソレノイド１０２と係合している。このソレノイド１０２がオンオフすることによって可動すると、連結部材１０３の他端部１０３Ｂを遊技盤６の前後方向に移動させ、これに伴って連結部材１０３の一端部１０３Ａが前後方向に移動し、当該一端部１０３Ａに係合した開閉部材１５０も前後方向にスライド移動するようになっている。また、開閉部材１５０は、第１大入賞口１１０の底部１１１の左方向への傾斜角に合わせて、左方向に傾斜して配置されている。また、開閉部材１５０は、その上で遊技球Ｐが転動可能な程度の強度を有する材質で形成されている。
【００２７】
そして、開閉部材１５０が、図４に示すように、遊技板６Ｆ側のスリット６Ｇから突出しない後方位置にあるときには、第１大入賞口１１０は、開閉部材１５０から開口部１１６が開放されて当該第１大入賞口１１０内に遊技球Ｐが入賞可能な開状態（開放位置）となり、第１大入賞口１１０内に連続的に遊技球Ｐが入賞することとなる。また、開閉部材１５０が、図３に示すように、遊技板６Ｆ側から突出して前方位置にあるときには、第１大入賞口１１０は、開閉部材１５０で開口部１１６が覆われて（閉鎖されて）当該第１大入賞口１１０内に遊技球Ｐが入賞不可能な閉状態（閉鎖位置）となり、第１大入賞口１１０の上部に流下してきた遊技球Ｐは、開閉部材１５０の上を傾斜の上側から下側（ここでは左方向）へ転がり、下側における端部１５２から飛び出してさらに下方に流下することとなる。なお、開閉部材１５０には、スリット６Ｇの後方となる位置に、下方に突出したリブ１５１が形成されており、このリブ１５１が、開閉部材１５０が閉状態となったときに、開閉部材１５０が前方位置に出過ぎてしまわないようにストッパとして機能している。
【００２８】
次に、第２大入賞口装置２００について説明する。本実施の形態の第２大入賞口装置２００は、大入賞口装置１７の左側に配置されており、図５に示すように、遊技球Ｐが入賞する第２大入賞口２０１と、モータやソレノイド等の駆動装置（図示省略）により第２大入賞口２０１を開閉する開閉片２０２を備えている。
【００２９】
そして、図５の二点差線で示すように、この開閉片２０２が一方向（ここでは左方向）に回転すると、第２大入賞口２０１が上方に向かって開口し、遊技球が連続的に第２大入賞口２０１に入賞可能となる。また、図５の点線で示すように、開閉片２０２が逆方向（ここでは右方向）に回転すると、第２大入賞口２０１が閉じて、遊技球が第２大入賞口２０１に入賞不可能となる。また、第２大入賞口２０１の右下方には、入賞した遊技球Ｐを遊技盤６の後方に導く入賞通路２０３が形成されている。そして、その入賞通路２０３の奥には、入賞した遊技球Ｐをカウントするセンサ（図示省略）を備えている。
【００３０】
また、図５に示すように、本実施の形態の第２大入賞口２０１は、第１大入賞口１１０より左方かつ下方に配置されている。さらに、第１大入賞口１１０の左方には、開閉部材１５０の上を上段通路とした場合に、所定高さ下がった位置に中段通路１７Ｆが形成され、またさらに所定高さ下がった左方位置に下段通路１７Ｇが形成されており、上段通路としての開閉部材１５０の上から中段通路１７Ｆ、下段通路１７Ｇが階段状に形成されている。そして、下段通路１７Ｇの右端に、第２大入賞口２０１の開閉片２０２が配置されている。
【００３１】
また、本実施の形態の大入賞口装置１７は、図８及び図９に示すような後側部材１７Ａと、図１０及び図１１に示すような前側部材１７Ｂとを有しており、これらが前後で組み合わさって前記した第１大入賞口１１０や第２大入賞口２０１の空間を形成している。また、前記した中段通路１７Ｆは前側部材１７Ｂから後方に突出するように前側部材１７Ｂと一体に形成された板状部で構成され、前記した下段通路１７Ｇも前側部材１７Ｂから後方に突出するように前側部材１７Ｂと一体に形成された板状部で構成されている。
【００３２】
また、図３，図５，図７に示すように、遊技領域６Ａにおける第１大入賞口１１０及び開閉部材１５０から離間した位置で、開閉部材１５０より左方かつ上方には、ガイド部材としての壁状部材３００が配置されている。本実施の形態の壁状部材３００は、第１大入賞口１１０の開口部１１６が開閉部材１５０で閉じている際に、遊技球Ｐが当該開閉部材１５０の上を上側から下側（ここでは左方向）へ転がってきた後、開閉部材１５０の左側（傾斜の下側）における端部１５２から飛び出した際に、その勢いが所定速さ以上の遊技球Ｐが当たるような位置に配置されており、遊技球Ｐの勢いを抑えた上で、下方向かつ左方向に遊技球Ｐを誘導して、遊技球Ｐが第２大入賞口２０１に向かうようにガイドするものである。
【００３３】
また、本実施の形態の壁状部材３００は、後側部材１７Ａから前方に突出するように後側部材１７Ａと一体に形成されている。さらに、本実施の形態では、壁状部材３００は、板状で曲面形状を有するように形成されており、当該曲面の内面３０１側に遊技球Ｐが当たるように、曲面の内面３０１が開閉部材１５０のある右下方向を向くように配置されている。壁状部材３００がこのように形成されていることで、遊技球Ｐをスムーズに下方向かつ左方向に誘導することができ、その結果、遊技球Ｐをスムーズに第２大入賞口２０１に向けてガイドすることができる。
【００３４】
さらに、本実施の形態では、図３〜図５，図７に示すように、第１大入賞口装置１００と第２大入賞口装置２００の間の中段通路１７Ｆに、壁状部材３００によって誘導されてきた遊技球Ｐの勢いをさらに抑えるための第１突部材３１０と第２突部材３２０を備えている。このうち、第１突部材３１０は、図１０及び図１１に示すように、前側部材１７Ｂから後方に所定量（遊技球Ｐが中段通路１７Ｆを転動可能で、かつ、遊技球Ｐの勢いを抑えることができる程度）突出した上下方向に長尺な部材であり、中段通路１７Ｆにおける中央より左側部分に前側部材１７Ｂと一体に形成されている。また、第２突部材３２０は、図８及び図９に示すように、後側部材１７Ａから前方に所定量（遊技球Ｐが中段通路１７Ｆを転動可能で、かつ、遊技球Ｐの勢いを抑えることができる程度）突出した上下方向に長尺な部材であり、中段通路１７Ｆにおける第１突部材３１０より下流側である左側部分（ここでは中段通路１７Ｆの左端）に後側部材１７Ａと一体に形成されている。
【００３５】
また、図５に示すように、中段通路１７Ｆの右端（第１大入賞口１１０の左隣）にワープ入口１７Ｄが形成されており、図９に示すように、このワープ入口１７Ｄから中段通路１７Ｆ及び下段通路１７Ｇにかけての後方（後側部材１７Ａの裏側）をワープ通路１７Ｃが通っており、下段通路１７Ｇにおける第２大入賞口２０１の左方に当該ワープ通路１７Ｃのワープ出口１７Ｅが形成されている。
【００３６】
そして、このような構成の大入賞口装置１７を有するパチンコ遊技機１において、遊技者が操作ハンドル１４を操作して発射装置から遊技球Ｐを発射させ、発射通路６Ｄを通って遊技領域６Ａに放出された遊技球Ｐが転動しながら流下し、第１始動入賞口１５又は第２始動入賞口１６に入賞すると、主制御基板において所定の抽選を行う。その抽選の判定結果を、表示装置２０に複数の図柄を変動後に停止させた組合せで表示し、判定結果が第１大入賞口１１０を開放させる第１の大当り遊技状態を発生させるものであった場合には、その複数の図柄の組合せを特定の大当り組合せで表示する。その後、第２大入賞口２０１の開閉片２０２は右方向に位置させて第２大入賞口２０１は閉じた状態で、第１大入賞口１１０の開閉部材１５０を開状態にして開口部１１６を上方に向かって開口させ、多数の遊技球Ｐが連続的に第１大入賞口１１０に入賞可能となる第１の大当り遊技状態を発生させる。
【００３７】
この第１の大当り遊技状態の際には、遊技者が遊技球Ｐを遊技領域６Ａの右側に向かうように発射させる。すると、遊技球Ｐが発射通路６Ｄから遊技領域６Ａに放出された後、遊技領域６Ａの上側及び右側（装飾枠２０Ｂの上方及び右方）を通り、遊技領域６Ａの右側に位置する大入賞口装置１７に到達する。そして、遊技球Ｐが第１大入賞口１１０の右方から流下し、多数の遊技球Ｐが当該第１大入賞口１１０に入賞する。
【００３８】
また、抽選の判定結果が第２大入賞口２０１を開放させる第２の大当り遊技状態を発生させるものであった場合には、その複数の図柄の組合せを別の特定の大当り組合せで表示する。その後、第１大入賞口１１０の開閉部材１５０は閉状態にして開口部１１６は閉じた状態で、第２大入賞口２０１の開閉片２０２を左方向に回転させて第２大入賞口２０１を上方に向かって開口させ、多数の遊技球Ｐが連続的に第２大入賞口２０１に入賞可能となる第２の大当り遊技状態を発生させる。
【００３９】
この第２の大当り遊技状態の際においても、第１の大当り遊技状態の際と同様に、遊技者は遊技球Ｐを遊技領域６Ａの右側に向かうように発射させる。すると、遊技球Ｐが発射通路６Ｄから遊技領域６Ａに放出された後、遊技領域６Ａの上側及び右側（装飾枠２０Ｂの上方及び右方）を通り、遊技領域６Ａの右側に位置する大入賞口装置１７に到達する。そして、大入賞口装置１７における第１大入賞口１１０の右方から流下した遊技球Ｐが、第１大入賞口装置１００の閉状態の開閉部材１５０の上をその傾斜に沿って上側から下側（右側から左側）に向かって転動する。その後、遊技球Ｐは、開閉部材１５０の左側（傾斜の下側）における端部１５２から、その左下方の中段通路１７Ｆに流下し、当該中段通路を上側から下側（右側から左側）に転動した後、中段通路１７Ｆの左端から、その左下方の下段通路１７Ｇに流下する。そして、そのうちの多数の遊技球Ｐが、下段通路１７Ｇの右端に配置され、第２の大当り遊技状態により開口した第２大入賞口２０１に入賞する。
【００４０】
そして、本実施の形態では、この第２の大当り遊技状態のように、第１大入賞口１１０が閉状態で開閉部材１５０で開口部１１６が覆われており、かつ、第２大入賞口２０１が開いているときに、遊技球Ｐが第１大入賞口１１０の開閉部材１５０の上を転がった後にその左側（傾斜の下側）における端部１５２から飛び出した後、所定速さ以上の勢いを有する遊技球Ｐが壁状部材３００に当たって、その勢いがある程度に抑えられて下方向かつ左方向に誘導されるようになっている。そのため、遊技球Ｐが下方の中段通路１７Ｆを速過ぎない適度な勢いで転動し、さらに下段通路１７Ｇにおいて中段通路１７Ｆの左端のほぼ真下に位置する第２大入賞口２０１に入賞することが可能となる。
【００４１】
またさらに、本実施の形態では、前側部材１７Ｂから後方に突出形成された第１突部材３１０と、後側部材１７Ａから前方に突出形成された第２突部材３２０とを有しており、中段通路１７Ｆを転動中の遊技球Ｐがこれら第１突部材３１０と第２突部材３２０の一方又は双方に当たるようになっている。これにより、その遊技球Ｐの勢いがさらに抑えられて、勢いの良い遊技球Ｐでも、中段通路１７Ｆの左端のほぼ真下にある第２大入賞口２０１に遊技球Ｐが入賞可能となるものである。
【００４２】
また、抽選の結果が出る前の通常遊技状態中（大当り遊技状態でないとき）と、抽選の判定結果が第１の大当り遊技状態も第２の大当り遊技状態も発生させない外れであった場合には、第１大入賞口１１０の開閉部材１５０は閉状態にして開口部１１６は閉じた状態で、かつ、第２大入賞口２０１の開閉片２０２を右方向に位置させて第２大入賞口２０１が閉じた状態となり、第１大入賞口１１０及び第２大入賞口２０１に遊技球Ｐが入賞不可能な状態となる。そのときに、遊技者が遊技球Ｐを遊技領域６Ａの右側に向かうように発射させた場合には、遊技球Ｐは、第１大入賞口１１０の開閉部材１５０の上を通って、勢いのある遊技球Ｐは壁状部材３００に当たり、中段通路１７Ｆ及び下段通路１７Ｇを通過して、さらに左方向の遊技領域６Ａに流下していく。
【００４３】
なお、前記したような第１大入賞口１１０が閉じていて第２大入賞口２０１が開いている場合に、壁状部材３００が配置されていないと、第１大入賞口１１０の開閉部材１５０の上を転がった後にその左側（傾斜の下側）における端部１５２から勢い良く飛び出した遊技球Ｐを誘導したり勢いを抑えたりするものがない。そのため、遊技球Ｐは全く規制のない状態で下方の中段通路１７Ｆで跳ねて、その前方の突起部１７Ｈに衝突して跳ね返ってワープ入口１７Ｄに入ってしまったり、中段通路１７Ｆを通っても、当該中段通路１７Ｇの左端の真下の第２大入賞口２０１に入賞せずに、その先に飛び出してしまったりし、遊技球Ｐを第２大入賞口２０１に向かうようにコントロールすることが困難な状態になってしまう。
【００４４】
以上のように、本実施の形態のパチンコ遊技機１は、遊技盤６に設けられた遊技領域６Ａに第１大入賞口装置（入賞装置）１００が配置されたパチンコ遊技機１であって、前記第１大入賞口装置（入賞装置）１００は、前記遊技盤６を構成する遊技板６Ｆから前方に突出すると共に、上面が開口する開口部１１６を有する第１大入賞口（入賞口）１１０と、前記開口部１１６を閉鎖する閉鎖位置と前記閉鎖位置から前記開口部１１６を開放する開放位置との間を移動可能な開閉部材１５０と、を備え、前記開閉部材１５０が左右何れか一方に傾斜して配置され、前記開閉部材１５０の上を遊技球Ｐが傾斜の上側から下側へ転動するようになっており、前記遊技領域６Ａに設けられ、前記開閉部材１５０の傾斜の下側における端部１５２から離間した位置に、壁状部材（ガイド部材）３００を備えており、該壁状部材（ガイド部材）３００は、前記開口部１１６を前記開閉部材１５０で閉じた状態で、該開閉部材１５０の上を下側に向かって転動した後に該開閉部材１５０の前記端部１５２から飛び出す遊技球Ｐが当たることで、当該遊技球Ｐを第２大入賞口（所定の遊技部品）２０１に向かう方向にガイドしているパチンコ遊技機１としたことを特徴とする。
【００４５】
そして、本実施の形態によれば、第１大入賞口（入賞口）１１０の上面の開口部１１６を開閉する開閉部材１５０で当該開口部１１６を閉じたときに、当該開閉部材１５０の上を転動した後に開閉部材１５０の傾斜の下側における端部１５２から飛び出した遊技球Ｐを壁状部材（ガイド部材）３００により規制して、遊技球Ｐを第２大入賞口（所定の遊技部品）２０１に向かう方向にガイドすることで、遊技球Ｐの動きをコントロールすることができる。
【００４６】
なお、以上説明した実施の形態は、本発明の理解を容易にするために記載されたものであって、本発明を限定するために記載されたものではない。
【００４７】
例えば、前記した実施の形態では、ガイド部材として板状で曲面形状を有するように形成された壁状部材が用いられており、これを第１大入賞口の左上方に配置していたが、これに限るものではない。例えば、ガイド部材の形状は、平面状の板状部や単なる突部、ピン状の部材等の適宜の形状で良い。また、ガイド部材は１つの部材で構成されていなくても良く、曲面状や平面状の板状部、単なる突部、ピン状の部材等が複数配置されて構成されていても良い。また、ガイド部材が複数の部材で構成されているときには、形状の同じ部材が複数配置されていても良いし、形状の異なる部材が複数配置されていても良い。さらに、ガイド部材が複数の部材で構成されているときには、間隙のある状態に形成されたもの（すなわち、連続した形状でないもの）であっても良い。すなわち、ガイド部材の配置位置や形状は、第１大入賞口の開閉部材の傾斜やガイドしたい遊技部品までの通路等の条件によって、適宜変更すれば良い。
【００４８】
また、前記した実施の形態では、開閉部材は左方向に傾斜して配置されていたが、これに限らず、右方向に傾斜していても良い。すなわち、遊技球が開閉部材の上を転がった後に当該遊技球を転動させる位置によって、開閉部材は、左右何れか一方に傾斜して配置されていれば良い。また、そのときの傾斜角についても、第１大入賞口の底部の傾斜に合わせるようにしても良いし、第１大入賞口の底部とは異なる角度に設定しても良い。
【００４９】
また、前記した実施の形態では、ガイド部材は後側部材から突出し、かつ、後側部材と一体に形成されており、第１突部材は前側部材から突出し、かつ、前側部材と一体に形成されており、第２突部材は後側部材から突出し、かつ、後側部材と一体に形成されていたが、これに限るものではなく、適宜変更しても良い。例えば、ガイド部材、第１突部材、第２突部材が、前記した実施の形態と反対側の部材から突出するようになっていても良いし、前側部材や後側部材と別部材で構成されていても良い。
【００５０】
また、前記した実施の形態では、ガイド部材の他、第１突部材と第２突部材の２つの突部材を有し、これらで遊技球をコントロールするようになっていたが、本発明はこれに限るものではない。例えば、ガイド部材のみで遊技球をコントロールするようになっていても良いし、ガイド部材の他に１つ又は３つ以上の突部材を用いて遊技球をコントロールするようになっていても良い。
【００５１】
また、ガイド部材の他の遊技球をコントロールするための部材は、遊技球の勢いを抑えるための上下方向に長尺な突部材に限るものではなく、遊技球の勢いを抑えるための上下方向以外に長尺な突部材又は突部材以外の構成のものでも良いし、遊技球の進む方向を規制する誘導部材等の勢いを抑える以外の目的の部材を配置しても良い。
【００５２】
また、前記した実施の形態では、本発明のガイド部材が前後方向に開閉部材がスライドする第１大入賞口の上から飛び出す遊技球のコントロールに適用されたが、これに限るものではなく、例えば左右方向に開閉部材がスライドする大入賞口に適用しても良い。また、スライド式の大入賞口以外の大入賞口、例えば、２つの開閉部材が上方の外側に所謂観音開き状に開く構造の大入賞口等に適用しても良い。また、箱形状以外の大入賞口、例えば上部にはスライドする開閉部材を有するが、下部は遊技板の中に入り込んでいる側面視略直角三角形状の大入賞口に適用しても良い。さらに、大入賞口以外の入賞口、例えば、可動片を備えた始動入賞口等に本発明を適用しても良い。すなわち、上方が開口していて当該開口が開閉部材で開閉される入賞口を有し、当該開閉部材の上を遊技球が転動した後に、開閉部材から飛び出した先の遊技球の転動する位置を規制してコントロールする必要のあるものであれば、適宜の入賞口を有するパチンコ遊技機に適用可能である。
【００５３】
また、前記した実施の形態では、所定の遊技部品として第２大入賞口を挙げて説明したが、これに限るものではなく、他の入賞口やアウト口、ゲート、ワープ通路の入口等の遊技領域の適宜の部品を、所定の遊技部品として適用することができる。
【符号の説明】
【００５４】
１…パチンコ遊技機、６…遊技盤、６Ａ…遊技領域、６Ｆ…遊技板、１００…第１大入賞口装置（入賞装置）、１１０…第１大入賞口（入賞口）、１１６…開口部、１５０…開閉部材、１５２…下側における端部、３００…壁状部材（ガイド部材）、２０１…第２大入賞口（所定の遊技部品）、Ｐ…遊技球
【図１】
2015033542.tif 000003
【図２】
2015033542.tif 000004
【図３】
2015033542.tif 000005
【図４】
2015033542.tif 000006
【図５】
2015033542.tif 000007
【図６】
2015033542.tif 000008
【図７】
2015033542.tif 000009
【図８】
2015033542.tif 000010
【図９】
2015033542.tif 000011
【図１０】
2015033542.tif 000012
【図１１】
2015033542.tif 000013